(57)【要約】      （修正有）【課題】ロールティッシュを収納する為の収納Ｂｏｘが、大変に綺麗で感じが良く、ファッショナブルな収納具を提供する。【解決手段】土台４に円筒形の収納Ｂｏｘを載置し、開閉可能な収納蓋３を取付、切断歯５，６，７を設置、持ち運び可能でデザインの優れたロールティッシュ収納具とする。【選択図】      図２
2006150001.tif 000002
【特許請求の範囲】
【請求項１】
本発明は、ロールティッシュペーパーを、従来より大いに活用する事を目的とする発明です。これまでロールティッシュペーパー（以後は略してロールティッシュと称して説明をします。）は、トイレで使用する事が殆どとされてきました。このトイレで使用する程度で有ったロールティッシュを活用して、鼻をかんだり、又は、化粧などに使う事は極めて少なかった事と考えられます。そこで、本発明は、このロールティッシュがもたらす可能性を重視して、次に述べる項目（着目点）を考えました。そのテーマ内容として低価格．便利性．使用頻度などが考えられます。従来はロールティッシュなどをトイレ以外の使用例は極めて少なく、その反対に、一般的なテイッシュペーパー（以後は略してティッシュと称して説明をします。）を、トイレで使用する事は少なく有りません。そこで価格が極めて安価なロールティッシュを使って鼻をかんだり、又は、化粧などに使う事はデザイン的から見ても、清潔感から見てもなかなか抵抗を感じずにはいられません。本発明は、従来からのトイレで使用する事の他に、図１の左側面図−１並びに、図２の左側面図−２から成り立つ、従来のロールティッシュ収納Ｂｏｘと異なる、デザインや機能性そして、操作性などを一新する事により、例えば机の上．化粧室や三面鏡の上．リビングのテーブル上．自動車の中．電車の中などへ置いて使う事が可能となる事により、従来から感じていたデザイン面や清潔感などを工夫する事で、これまで厄介物として扱われていたロールティッシュを、従来の様な抵抗として感じられていた不潔感などを一挙に解消する事が期待できます。更に、経済面からティッシュと比較して、ロールティッシュは価格が２倍から７倍（尚、ティッシュの取り出し方により、この倍数の値は異なります。）程度の差が生じる事により、経済的波及効果に大きな飛躍が可能な発明です。又、限られた資源の中で、高価な複数枚織り（例えば２枚織り）などから成るティッシュペーパーを、本発明のロールティッシュ収納Ｂｏｘを使う事で、自在の長さで切断が可能なロールティッシュには、資源の節約の面からも大変に期待が出来る発明です。
【請求項２】
本発明は、従来のトイレなどで使用されるロールティッシュペーパー収納Ｂｏｘが、片手の操作が困難な場合が少なくは無い事を重視して、これらの問題点を一掃しようと言う目的から、従来に無い新しい方式と工夫から成り立つ発明です。ロールティッシュを片手で適度の長さを引き出し、更に（６）の切断歯２の部分から（７）取り外しが可能なロールティッシュ支持具側切断歯の位置迄の長さ分を余分に取り出した後、（６）の位置でロールティッシュを折り返し、（７）の位置でそのロールティッシュを切断する事により、ロールティッシュに余計な力を必要とする事が無く、常に片手で容易に切断する事が可能と成ります。又、この行為の際に、縁の下の力持ち役として、（１６）シリコンやゴムなどから成る緩衝材（すべり防止材）の役割りも見逃す訳には行きません。これらの各部の作用が一体型ハーモニー的な役割と機能がもたらす事で、ロールティッシュの切断効果をスムーズに仕上げます。更に引き続いてロールティッシュを取り出す際に、既に適度な長さ分を取り出されたロールティッシュを片手で摘む事で、特別に（３）ロールティッシュ収納蓋を改めて開く事も無く、引き続きロールティッシュを取り出す事が出来ます。又、このロールティッシュ収納Ｂｏｘは、予め（２３）と（２４）から成るロールティッシュ収納蓋の左側と右側の止め具が準備されておりますが、これらの止め具をセットする事も無く、（３）ロールティッシュ収納蓋を定められた定位置（始めてロールティッシュをセットする際に蓋を開閉、その後に蓋を閉じる事を意味します。）まで、蓋をする事でロールティッシュの取り出しが可能です。但し、ロールティッシュの材質によって、堅い紙質が有ります。その場合などは、（２３）と（２４）のロールティッシュ収納蓋左側と右側の止め具を定位置（止める位置の事を意味します。）まで、セットする事でロールティッシュと、（３）ロールティッシュ収納蓋をより一層の支持する事が可能です。又、ロールティッシュをこれ以上に取り出す事を必要としない場合は、（５）ロールティッシュ出口側切断歯１の所で切断する事により、ロールティッシュをロールティッシュ収納Ｂｏｘの外へ無駄に取り出さない事で、ほこりや塵などからロールティッシュが汚染される事から予防が出来て常に清潔を重視する事が可能な発明です。又、（５）ロールティッシュ出口側切断歯１は、（１７）出口側切断歯１と一体型のスライド板を引き出す（引き出し長さは任意に変えられます。この場合には０ｍｍから６０ｍｍ前後とします。  尚、この引き出し長さは製品により、任意に変更する事が可能とします。）事により、（５）の歯１の位置を自在に変えられます。このスライドの長さを変える事で、（７）までの長さを保有する必要がない場合などには、（１７）出口側切断歯１と一体型の目盛りが刻まれたスライド板を引き出す事で、ロールティッシュの無駄な引き出し長さを、限りなく少なくする事も可能です。この場合予め刻まれた目盛りの値を参考にしながら、例えば引き出し長さを１０ｍｍから２０ｍｍ前後にセットして置きますと、次にロールティッシュを取り出そうとする時に、取り出し（摘む事）する時に、大変に重宝と成ります。尚、（７）取り外しが可能なロ���ルティッシュ支持具側切断歯は、活用する事を不用と感じた場合は、（７）の歯を容易に取り外しが出来る発明です。更に、（１７）のスライド部を引き出す事により確保されたスペース部へは、予め寸法の目盛りが刻まれている事で、化粧などで必要な小物などの仮りの置き台として活用する事で、小物などを不注意などから紛失する事などの原因を、未然に解決する役割も果たす事へとつながる事も可能です。尚、この発明は片手の操作以外に両手で操作する事も可能です。そして、参考までに、一般的なティッシュペーパーは、図１１Ａティッシュ切断のイメージ図１に記した、例えば（２９）一般的な２枚織りのティッシュペーパー（枚数に定義は無し）、縦１９７ｍｍ横２２９ｍｍの、２枚織りで一定長のため、任意切断が不可で不経済的に対して、ロールティッシュは、図１１Ｂティッシュ切断のイメージ図２の例えば、縦１１４ｍｍ横の長さは、必要に応じて任意の長さに切断が出来て、経済的と言う大きな違いが有ります。そして、この事件（この事実の事を意味）は、例えば化粧直しなどで唇に着いた口紅を、ほんの少々修正するのに、従来のティッシュペーパーでは、一挙に２枚織りの、例えば縦１９７ｍｍ横２２９ｍｍを消費者たちが使う事に対し、本発明のロールティッシュ収納Ｂｏｘを活用する事で、図１１Ｂ  ティッシュ切断のイメージ図２の、例えば（３０）一般的な２枚織りのロールティッシュ（枚数に定義は無し）、縦１１４ｍｍ横の長さは、必要に応じて任意の長さに切断が可能な為、場合によってほんの数センチ程度を切断する事で、本件の課題として取り上げた、例えば化粧直しなどへ充分な対応が可能となれば、最近、地球規模で騒がれてる資源の改善とか工夫などに、企業規模から、そして各家庭規模などで排出されるゴミ問題などに対して、地球規模の改善として大変に効果的です。しかも各自の消費者に対しても経済的な効果が期待される発明です。
【請求項３】
本発明は、従来のトイレなどで使用されるロールティッシュペーパー収納Ｂｏｘと異なり、トイレ以外の場所で使用する事を目的とします。そして、例えば三面鏡などの様にトイレと異なり常に清潔感や可愛らしさなどを重視される場所などへ、図１の左側面図−１並びに、図２の左側面図−２から成り立つロールティッシュ収納Ｂｏｘへ、図６の正面図−２ローラーＢｏｘ本体の左右へ、取り付けが可能なガイドカバーを取り付ける事で、従来の様に単なるロールティッシュペーパーを切断するだけの収納Ｂｏｘと比較して、美的感覚を重視した発明です。ここでは、半円球のカバーで図示紹介を致しましたが、形や大きさデザインなどは様々な飾り物や人気者のグッズなどを取り付ける事が考えられます。又、ロールティッシュの使い古した物を入れる為の、図１８  右側面図−２並びに、図１９  左側面図−８のゴミ入れを取り付ける事で、わざわざ別にゴミ入れなどを用意する事が不用な事から、衛生面から見ても極めて効果的な活用が出来ます。更には、図１左側面図−１並びに、図２の左側面図−２から成り立つロールティッシュ収納Ｂｏｘへ図−１０の複数個並びに、複数組みから成り立つ為の図１４正側面図−５に示す、複数個．複数組みから成り立つロールティッシュ収納Ｂｏｘを連結する為の（１９）のジョイント具を用いて、例えば、横へ複数列を取り付ける事で、例えば、幾つか異なるサイズや紙質などを、別々に並べる事で、用途に応じた様々な使い分けをする事が可能です。
【請求項４】
本発明は、内部のロールティッシュの残量が、外から見てひと目で理解する事が可能な為に、図１の左側面図−１並びに、図２の左側面図−２から成り立つ、ロールティッシュ収納Ｂｏｘ全体を、色無しのスケルトンカラー若しくは、色付きのスケルトンカラーなどで仕上げる事で、（３）ロールティッシュ収納蓋を開閉させなくても、内部の様子を理解する事が可能とする発明です。ロールティッシュ収納Ｂｏｘを、色付き．色無しのスケルトンカラーで施す事で、近年、若者たちをはじめとする多くの人々がもたらす、ファッション的センスや購買力などのセンスは重要な要素の一つです。又、一方では、若年層（小学生たちから中学生などの年齢層の事を意味。）へも、このスケルトンカラーのセンスが高まって来た昨今、しかも、このスケルトンカラーで仕上げられたロールティッシュ収納Ｂｏｘは、一般的なティッシュペーパーと比較して、価格的に見ても極めてローコストで入手が可能な上に、スケルトンカラーのセンスがもたらす波及効果は、これまでのトイレで使用したり、又は、トイレ以外の場所として例えば机の上．化粧室や三面鏡の上．リビングのテーブル上．自動車の中．電車の中などのファッション的な感性が要求される様々な場所などで、使われる事が期待できる発明です。又、最近様々な場所などで関心度が高まっている抗菌をこのロールティッシュ収納Ｂｏｘへ施す事で、より一層の購買力を高める事が可能です。尚、このロールティッシュ収納Ｂｏｘのボデー色は、色無しのスケルトンカラー若しくは、色付きのスケルトンカラーなどに限らず、逆に内部が判りづらい有色の製品を仕上げる事も可能です。本発明はこれまでの、ロールティッシュはトイレ専用と言った先入観から成る、不潔とかきたないと言った感性から、本発明は綺麗でファッショナブル、更に場所や環境など制約を受けにくい、従来からのトイレットペーパーの常識的な感覚が大きく変わる発明です。尚、本発明は、ロールティッシュ収納Ｂｏｘなどの形状やサイズなどの特定をせずに、時代や背景などから要求される様々なスタイル．感覚．感性などを充分に育んだ品物を、作成する事が必務と考慮した時代に適合した発明です。
【請求項５】
本発明は、ロールティッシュを対象としての発明です。例えばロールティッシュの場合、（３）ロールティッシュ収納蓋を開けて、ロールティッシュ収納Ｂｏｘ内部へロールティッシュを片手で容易に装填する為の発明として、（２０）取り外しが可能なスプリング、そして（２１）取り外しが可能なロールティッシュ止め具が、ロールティッシュの取り付けそして、取り外しの際に少ない力で容易に動く事で、取り付けの際にはしっかりと着座できます。又、取りはずす際には、これらが取り外しが容易な向きへスプリングと止め具が動く事で、容易にロールティッシュを取り外す事が出来ます。更に、ロールティッシュ以外に、ロール式のウェットティッシュペーパーなどを装填する事が可能です。ロールティッシュ同様に（３）ロールティッシュ収納蓋を開けて、例えばロール式のウェットティッシュペーパーを装填しますと、場合によってはロールティッシュよりも大きく、図１の左側面図−１並びに、図２の左側面図−２から成り立つサイズに充分な開口部と内部にスペースサイズを保有する場合、ロール式のウェットティッシュペーパーを、（２０）取り外しが可能なスプリング、そして（２１）取り外しが可能なロールティッシュ止め具に片手若しくは両手にて、少々の力で取り込む事で、従来のロール式のウェットティッシュペーパーの場合は、ロールの中心側から取り出す事が一般的でしたが、本発明の場合では、ロールティッシュと同様の使い方で、片手若しくは両手で用意に取り出して、適度な寸法で切断して化粧その他の様々な方法で使う事が可能です。尚、この発明は片手の操作以外に両手で操作する事も可能です。
【発明の詳細な説明】
【技術分野】
【０００１】本発明は、これまでのロールティッシュ（トイレ用）を、もっと美しく清潔感が溢れる方法は無いだろうかをテーマとして考えました。もしも、このロールティッシュがもっと綺麗で感じが良く、ファッショナブルな収納具が完成出来たら、一般的なティッシュペーパーと比較して、価格は２倍から７倍（尚、ティッシュの取り出し方により、この倍数の値は異なります。）程度も安価で、持ち運びも楽なロールティッシュ収納具を考案する事で、社会的にそして民衆的な観点から見ても、大きく発展できる技術の分野ではないかと考え、本発明を考案しました。
【背景技術】
【０００２】本発明は、これまでのロールティッシュ収納具には、トイレで使用する程度の収納具で、例えば机の上．化粧室や三面鏡の上．リビングのテーブル上．自動車の中．電車の中などへ置いて使う雰囲気では有りませんでした。ロールティッシュ収納具として清潔感、ファッショナブル感覚、綺麗で美しいと言った感性が高まった収納具が仕上げられたら如何でしょうか。これまで、ロールティッシュを見れば、そしてロールティッシュと聞けば、決まって考えられる事はトイレのイメージでした。このイメージを根底から変えられる事が出来ましたら、これまでの型にはまったイメージを大きく変えられるのではと、本発明を考えてみました。本発明は、ただ美しいだけでは無く清潔感．美的感覚．そしてファッショナブル  プラス  機能性を重視して考案をいたしました。更に、昨今話題とされてる抗菌作用や抗菌効果などに付いて、本発明は技術的な面から見ても充分に検討をした発明です。【０００３】本発明は、美的センスとファッション感覚．機能性．そして科学的にも技術的にもスペックが高い抗菌作用又は、抗菌効果を考慮した発明です。低価格で高い効果を考慮した、例えばロールティッシュ収納Ｂｏｘは、現代社会が求めるグッズ（小物）の一つです。
【特許文献１】    特開２００４−３１３５５８
ロールペーパー（トイレ用・キッチン用、等）を箱の中に収納し、ティッシュペーパーのように部屋に置いても抵抗なく、衛生上、機能上、デザイン上優れた、そして使用する際に軽．．．．
上記の特開２００４−３１３５５８の内容は当方の発明と比較して、あくまでも家具調と言う言葉の表記で有りますが、当方の発明はペーパーのカット方法、カットしろに当る部分をいかに衛生的に又、いかに経済的に活用出来るかを重要視した発明ですので、特開２００４−３１３５５８の発明に対して、本発明が特許侵害を何ら致す事はございません。【特許文献２】    特開２００４−２３７０３２
手の機能の衰えたお年寄りや手の未発達な幼児等には、トイレットペーパー紙巻器のペーパー切断板の下にある、トイレットペーパーの切り口を取り出すのは、以外に簡単のは出来ない．．．．
上記の特開２００４−２３７０３２の内容は当方の発明と比較して、イメージとしては似ておりますが、特別なカット方法とは考えづらいと理解をします。そして、当方の発明では、ただペーパーをカットするだけでは無く、カットしろに当る部分のペーパーの長さを自在に調節が出来たり、又、使う場所がトイレの壁だけでは無く、机．三面鏡．フロアー．テーブル．車と言った、様々な場所や箇所などで適用が可能と考えております。よって、この特開２００４−２３７０３２の発明に対して、本発明が特許侵害を何ら致す事はございません。【特許文献３】    特開平０６−３１５４４６
従来のペーパーホルダーは、ロールペーパーの取りつけ、取外しが簡単でなく、ペーパーを切断するときは両手を使わなければならなかった。又、ペーパー切断刃に関しては、ギザギ．．．．
上記の特開平０６−３１５４４６は更に上記の特開２００４−２３７０３２と大変にイメージが似てます。よって、特開平０６−３１５４４６は当方の発明と比較して、当方根底から発明と工夫の手段や方式が異なる発明です。よって本発明が特許侵害を何ら致す事はございません。【特許文献４】    特開２００３−０９３２６７
トイレ等のペーパーロールが回動自在に装着されているペーパーホルダーにおいて、片手でペーパーの切断が容易に出来、既製のロールペーパーホルダー用蓋に付属品としてワンタッ．．．．
上記の特開２００３−０９３２６７の内容は当方の発明と比較して、当方根底から発明と工夫の手段や方式が異なる発明です。よって本発明が特許侵害を何ら致す事はございません。【特許文献５】    特開２００２−３４５６７７
トイレットペーパーの使い勝手を良好にする。
【解決手段】
ロールペーパー２０の保持具本体１に突設された１対の側板３，３の下部間に、ロールペーパー２０を転動自在に載置する支持．．．．【特許文献６】    特開平０９−２０１３０７
片手でペーパーを容易に切断できると共に、切断した時に引出片が自動的に形成され、次に引き出す時にはこの引出片をつまんで引き出せるので、一切、ホルダーに手を触れることな．．．．【特許文献７】    特開２００３−２９００７２
引張部材の移動速度と送出部材の移動速度の差から生じた力量を利用して通過したティッシュを切断分離線の位置でロール状ティッシュから分離させることができるティッシュ分配器．．．．【特許文献８】    特開平０８−０１０１８５
両手使うことなく、片手でペーパーを持って、容易、かつ、きれいに切断できるトイレットペーパーホルダーを提供する。
【構成】
本体枠１に、複数の案内スリット２１を有する案内支．．．．【特許文献９】    特開２００２−０８５２８８
片手で且つ容易に常時トイレットペーパーを切り出すことが出来ると共に、次回の引き出しに必要な、把持部分リーダーがトイレットペーパーの切断作業と同時に確保できるトイレット．．．．【特許文献１０】    特開２００３−２９００７４
本発明はロールペーパー５，５’入れであって任意の場所に懸垂し、又は載置した状態で、片手でロールペーパー５，５’を引出しかつカットすることを目的とする。
【解決手段】
布製の底．．．．【特許文献１１】    特開２００１−２５８７８４
ミシン目の有無で切り分けられる、ロールペーパー用カット容器。
【解決手段】
芯用突起か心棒を内側にもった容器の、側面にある取り出し孔の片側に、内側が直線で外側がギザギザの．．．．【特許文献１２】    特開２００４−２５５１３９
現在、トイレでは、巻芯タイプのロール紙トイレットペーパーが普及している。しかし、ペーパーの引き出し、切断、折りたたみなど、使用前に作業が発生する。一般の人には、今まで．．．．【特許文献１３】    特開２００３−３４２８９９
柔軟性とふんわり感のある衛生薄葉紙を安価に提供する。
【解決手段】
トイレットペーパー（衛生薄葉紙）の製造工程のうち、ログ製造工程に起毛処理工程１６を設ける。起毛処理工．．．．【特許文献１４】    特開２００３−３１０４７８
片手だけでの使用を可能とし、且つペーパーの端部を容易に掴むことができるペーパーホルダーを提供する。
【解決手段】
トイレットペーパーホルダーは、トイレットペーパー３８を．．．．【特許文献１５】    特開平０５−１９２２６６
片手で紙を切断することができるトイレットペーパーホルダーを提供する。
【構成】
トイレットペーパー３を、軸１２に回転自在に保持すると共に、該トイレットペーパー３の上側と下．．．．【特許文献１６】    特開２００４−０９７３９３
ユーザーの要求に応じて、ロール状のトイレットペーパーを所定量自動的に送り出して供給する事のできるトイレットペーパー自動供給装置を提供。
【解決手段】
トイレットペーパー自動．．．．【特許文献１７】    特開２００２−２５５２６０
拡げた状態で連続的に容易に取り出すことができ、かつシートサイズが限定されないロール状ウエットティシュとその容器を提供する。
【解決手段】
不織布にミシン目を入れて巻き取り．．．．
上記の特許文献４特開２００３−０９３２６７から特許文献１７特開２００２−２５５２６０の内容は当方の発明と比較して、当方根底から発明と工夫の手段や方式が異なる発明です。よって本発明が特許侵害を何ら致す事はございません。尚、上記へ記載した特許文献１から特許文献１７迄の内容は特許庁データベース検索閲覧を致した物です。上記記載事項に対し異見として、当方の本発明と大幅に違いが有りますので上記文面にて、異見解答を述べさせて頂きました。特許庁の検査官の皆様方へどうぞ宜しくお願い申上げます。
【発明の開示】
【発明が解決しようとする課題】
【０００４】本発明が解決しようとする課題は、これまでトイレットペーパーはロールティッシュと言う感性が、国内はもとより世界的に見ても紙質は異なるが、一般的な常識として、不潔感．汚ない．汚れていると言った感性でした。そして、このロールティッシュを収納する為の収納Ｂｏｘが、大変に綺麗で感じが良く、ファッショナブルな収納具に仕上げられたら、又、一般的なティッシュペーパーと比較して、価格は２倍から７倍（尚、ティッシュの取り出し方により、この倍数の値は異なります。）程度も安価で、持ち運びも楽なロールティッシュ収納具を考案する事が出来れば、ロールティッシュが高価なティッシュペーパーの代替えの大役を出来るとなれば、限られた資源の我が国を始めとして、世界的にも限られた資源の活性化が期待されます。そして、このロールティッシュ収納Ｂｏｘが、世界的に普及と波及をもたらす事で、今まで以上に地球規模の資源の節約、そして経済的な節約効果も極めて効果の高い効果を期待する事が可能です。
【課題を解決するための手段】
【０００５】本発明が課題とする解決の手段は、これまで不潔．衛生的では無い．汚ない事などの評価から影が有る存在感が高いトイレで使用されるロールティッシュを、日が当る場所や場面で活躍が出来る様に、ロールティッシュ収納Ｂｏｘを考案。そして、このロールティッシュ収納Ｂｏｘを、大変に綺麗で感じが良く、ファッショナブルな収納具に仕上げられたら、多くの方達に購買力を高める事が可能で、これまでの日陰的な価値観から日当りの良い場所や環境下で活躍する事が可能な発明です。そして、従来から多く使用されて来たロールティッシュに比べ、複数枚織り（例えば２枚織り）などから成る、極めて高価（２倍から７倍程度  尚、ティッシュの取り出し方により、この倍数の値は異なります。）なティッシュペーパーから、ロールティッシュに代替する事で、世界的な資源の節約と経済的な節約効果が期待される、画期的な手段です。
【発明の効果】
【０００６】本発明の効果として、これまでの複数枚織り（例えば２枚織り）などから成る、極めて高価（２倍から７倍程度  尚、ティッシュの取り出し方により、この倍数の値は異なります。）なティッシュペーパーから、ロールティッシュに代替する事で、世界的な資源の節約と経済的な節約効果が期待されます。そして、排泄されるペーパーの数量も地球的レベルで、節約効果が高まる事で、昨今さわがれている地球環境汚染．地球環境破壊に対して、加速化を幾らか低減する事などの効果も期待がでる発明です。更に、例えばスケルトンカラーなどの色調は、これまでのトイレットペーパーでは考えられなかった、美的センスやファッショナブルな感覚が、多くの方達へこれまでに無かった知的な感性や、そして素晴らしい感覚を与える事などの、相乗的な効果をもたらす事が期待されます。
【発明を実施するための最良の形態】
【０００７】本発明の実施するための最良の形態として、例えばスケルトンカラーなどの色調は、これまでのトイレットペーパーでは考えられなかった、美的センスやファッショナブルな感覚が、多くの方達へこれまでに無かった知的な感性や、そして素晴らしい感覚を与える事などの、相乗的な効果をもたらす事が期待出来て、更には抗菌効果や抗菌作用をこのロールティッシュ収納Ｂｏｘへ施す事で、清潔感をより一層の効果を高める事に繋がり、ロールティッシュを使用する度に清潔で綺麗な状況で、鼻をかんだり、又は化粧などに使う事は、今後のロールティッシュに革命的な変化をもたらす事でしよう。本発明はその様な事が発明を実施するための最良の形態と考えます。
【実施例１】
【０００８】本発明の実施例１として、例えば机の上．化粧室や三面鏡の上．リビングのテーブル上．自動車の中．電車の中などへ置いて使用する事が出来ます。これまで無かった美的センスやファッション感覚を高めたグッズ（小物）として、ある時には装飾品として活用する事も可能です。更には抗菌効果や抗菌作用を活用した、部屋の浄化などの効果を高める利用方法も考えられます。
【産業上の利用可能性】
【０００９】本発明は、ロールティッシュ収納Ｂｏｘがもたらす、ロールティッシュのトイレ以外で使用される為の発明と工夫で、例えばスケルトンカラーなどの色調は、これまでのトイレットペーパーでは考えられなかった、美的センスやファッショナブルな感覚が、多くの方達へこれまでに無かった知的な感性や、そして素晴らしい感覚を与える事などの、相乗的な効果をもたらす事が期待出来ます。そして、従来ではトイレだけの文化から様々な場所や場面、そして様々な使い方の利用可能性を兼ね備えている事から、これまでのトイレだけの文化から、様々な産業界で美的センスで活躍をしたり、ファッショナブルな感性でこれも又、一つの社会性を獲得する可能性が大いに可能性を感じる発明です。よって、このロールティッシュと、ロールティッシュ収納Ｂｏｘから期待される利用可能性は、様々な産業界へ爆発的な認知度を発揮される事と期待出来ます。
【図面の簡単な説明】
【００１０】
【図１】    本発明の左側面図−１
【図２】    本発明の左側面図−２
【図３】    本発明の左側面図−３
【図４】    本発明のスプリングとガイド部の図
【図５】    本発明の正面図−１
【図６】    本発明の正面図−２
【図７】    本発明の正面図−３
【図８】    本発明の正面図−４
【図９】    本発明の背面図−１
【図１０】    本発明の背面図−２
【図１１】    本発明の左側面図−４
【図１１Ａ】    本発明のティッシュ切断のイメージ゛図１
【図１１Ｂ】    本発明のティッシュ切断のイメージ゛図２
【図１２】    本発明の左側面図−５
【図１３】    本発明の左側面図−６
【図１４】    本発明の正面図−５
【図１５】    本発明の左側面図−７
【図１６】    本発明の右側面図−１
【図１７】    本発明の正面図−６
【図１８】    本発明の右側面図−２
【図１９】    本発明の左側面図−８
【図２０】    本発明の正面図−７
【図２１】    本発明の正面図−８
【符号の説明】
【００１１】（１）ロールティッシュ収納蓋の可逆性蝶板
（２）ロールティッシュ収納の側面
（３）ロールティッシュ収納蓋
（４）ロールティッシュ収納Ｂｏｘの土台
（５）ロールティッシュ出口側切断歯１
（６）ロールティッシュ出口側切断歯２
（７）取り外しが可能なロールティッシュ支持具側切断歯
（８）左側追加具取り付け穴１
（８−１）左側追加具取り付け穴１
（８−２）ガイドカバーを連結する為のジョイント具の爪１
（８−３）ゴミ入れを連結する為のジョイント具の爪１
（９）左側追加具取り付け穴２
（９−１）左側追加具取り付け穴２
（９−２）ガイドカバーを連結する為のジョイント具の爪１
（９−３）ゴミ入れを連結する為のジョイント具の爪１
（１０）左側追加具取り付け穴３
（１０−１）左側追加具取り付け穴３
（１０−２）ガイドカバーを連結する為のジョイント具の爪１
（１０−３）ゴミ入れを連結する為のジョイント具の爪１
（１１）右側追加具取り付け穴１
（１１−１）右側追加具取り付け穴１
（１１−２）ガイドカバーを連結する為のジョイント具の爪２
（１２）右側追加具取り付け穴２
（１２−１）右側追加具取り付け穴２
（１２−２）ガイドカバーを連結する為のジョイント具の爪２
（１３）右側追加具取り付け穴３
（１３−１）右側追加具取り付け穴３
（１３−２）ガイドカバーを連結する為のジョイント具の爪２
（１４）左側ガイドカバー本体
（１５）右側ガイドカバー本体
（１６）シリコンやゴムなどから成る緩衝材（すべり防止材）
（１７）出口側切断歯１と一体型の目盛りが刻まれたスライド板
（１８）取り出したロールティッシュ
（１９）連結する為のジョイント具
（２０）取り外しが可能なスプリング
（２１）取り外しが可能なロールティッシュ止め具
（２２）ロールティッシュペーパー本体
（２３）ロールティッシュ収納蓋左側止め具
（２４）ロールティッシュ収納蓋右側止め具
（２５）ゴミ入れの蓋
（２６）ゴミ入れ本体
（２７）ゴミ入れの蓋に付けられた取っ手
（２８）折りたたみ式ティッシュペーパー
（２９）一般的な２枚織りのティッシュペーパー（枚数に定義は無し）
（３０）一般的な２枚織りのロールティッシュ（枚数に定義は無し）
【図１】
2006150001.tif 000003
【図２】
2006150001.tif 000004
【図３】
2006150001.tif 000005
【図４】
2006150001.tif 000006
【図５】
2006150001.tif 000007
【図６】
2006150001.tif 000008
【図７】
2006150001.tif 000009
【図８】
2006150001.tif 000010
【図９】
2006150001.tif 000011
【図１０】
2006150001.tif 000012
【図１１】
2006150001.tif 000013
【図１１Ａ】
2006150001.tif 000014
【図１１Ｂ】
2006150001.tif 000015
【図１２】
2006150001.tif 000016
【図１３】
2006150001.tif 000017
【図１４】
2006150001.tif 000018
【図１５】
2006150001.tif 000019
【図１６】
2006150001.tif 000020
【図１７】
2006150001.tif 000021
【図１８】
2006150001.tif 000022
【図１９】
2006150001.tif 000023
【図２０】
2006150001.tif 000024
【図２１】
2006150001.tif 000025